(57)【特許請求の範囲】
【請求項１】
放送信号を送信する方法であって、
受信ターミナルに表示させる複数の放送オブジェクトに対する表示制御情報を発生すること、
前記複数の放送オブジェクトと前記表示制御情報との双方を含む放送信号を前記受信ターミナルに送信すること、
を含んで構成され、
前記表示制御情報は、前記受信ターミナルに表示させる前記放送オブジェクトの表示順序を指示する表示順序命令を含み、
前記表示順序命令は、第１放送オブジェクト及び第２放送オブジェクトの双方が受信された後、第３放送オブジェクト及び第４放送オブジェクトが受信されるまで、前記受信ターミナルの受信した前記第１放送オブジェクトと前記第２放送オブジェクトとを所定の時間間隔で交互に繰り返し表示するように指示して、前記表示順序を指示するものであり、
前記所定の時間間隔は、前記放送オブジェクトの送信時間間隔よりも短いことを特徴とする方法。
【請求項２】
前記表示制御情報に含まれる前記表示順序命令は、前記第３放送オブジェクト及び前記第４放送オブジェクトの双方が受信された後に、前記受信ターミナルが前記第３放送オブジェクトと前記第４放送オブジェクトとを前記所定の時間間隔で交互に繰り返し表示するように指示する命令を含むことを特徴とする請求項１に記載の方法。
【請求項３】
送信された前記第１放送オブジェクト、前記第２放送オブジェクトは、それぞれ使用者の左目に対する第１左目２次元映像、使用者の右目に対する第１右目２次元映像に対応し、
送信された前記第３放送オブジェクト、前記第４放送オブジェクトは、それぞれ使用者の左目に対する第２左目２次元映像、使用者の右目に対する第２右目２次元映像に対応することを特徴とする請求項１又は２に記載の方法。
【請求項４】
送信された前記第１放送オブジェクトは、使用者の左目及び使用者の右目のそれぞれに対する少なくとも第１左目２次元映像及び第１右目２次元映像に対応し、送信された前記第２放送オブジェクトは、使用者の左目及び使用者の右目のそれぞれに対する少なくとも第２左目２次元映像及び第２右目２次元映像に対応し、
送信された前記第３放送オブジェクトは、使用者の左目及び使用者の右目のそれぞれに対する少なくとも第３左目２次元映像及び第３右目２次元映像に対応し、送信された前記第４放送オブジェクトは、使用者の左目及び使用者の右目のそれぞれに対する少なくとも第４左目２次元映像及び第４右目２次元映像に対応し、
前記表示順序命令を、前記第１及び第２左目２次元映像と前記第１及び第２右目２次元映像との双方が受信された後、前記第３及び第４左目２次元映像と前記第３及び第４右目２次元映像とが受信されるまで、前記受信ターミナルが前記第１左目及び第１右目２次元映像と前記第２左目及び第２右目２次元映像とを所定の時間間隔で交互に繰り返し表示するように指示して、前記表示順序を指示するように構成し、
前記所定の時間間隔は、前記第１左目２次元映像、第２左目２次元映像、第１右目２次元映像及び第２右目２次元映像の送信時間間隔よりも短いことを特徴とする請求項１に記載の方法。
【請求項５】
送信された放送オブジェクトは、複数の２次元映像と３次元映像とに対応し、
前記表示制御情報に含まれる命令は、対応する３次元映像の一部が前記受信ターミナルによって受信されない場合、前記受信ターミナルが対応する３次元映像を２次元映像として表示するように指示するものであることを特徴とする請求項１〜４のいずれか１つに記載の方法。
【請求項６】
前記表示制御情報は、
前記放送オブジェクトが２次元映像又は３次元映像のいずれを含むかを示す情報と、
前記放送オブジェクトが前記２次元映像のグループ又は前記３次元映像のグループのいずれに対応するかを示す情報と、
前記放送オブジェクトの数を示す情報と、
各々の前記放送オブジェクトのシリアルナンバーを示す情報と、
連続表示される前記放送オブジェクト間の時間間隔を示す情報と、の少なくとも１つを含むことを特徴とする請求項１〜５のいずれか１つに記載の方法。
【請求項７】
放送信号を受信する方法であって、
前記放送信号を受信すること、
前記受信放送信号から複数の放送オブジェクトと表示制御情報とを抽出すること、
前記表示制御情報に従って前記放送オブジェクトを受信ターミナルに表示すること、
を含んで構成され、
前記表示制御情報は、前記受信ターミナルに表示させる前記放送オブジェクトの表示順序を指示する表示順序命令を含み、
前記表示順序命令は、第１放送オブジェクト及び第２放送オブジェクトの双方が受信された後、第３放送オブジェクト及び第４放送オブジェクトが受信されるまで、前記受信ターミナルが受信した前記第１放送オブジェクトと前記第２放送オブジェクトとを所定の時間間隔で交互に繰り返し表示するように指示して、前記表示順序を指示するものであり、
前記所定の時間間隔は、前記放送オブジェクトの受信時間間隔よりも短いことを特徴とする方法。
【請求項８】
前記表示制御情報に含まれる前記表示順序命令は、前記第３放送オブジェクト及び前記第４放送オブジェクトの双方が受信された後のみに、前記受信ターミナルが前記第３放送オブジェクトと前記第４放送オブジェクトとを所定の時間間隔で交互に繰り返し表示するように指示する命令を含むことを特徴とする請求項７に記載の方法。
【請求項９】
受信された前記第１放送オブジェクト、前記第２放送オブジェクトは、それぞれ使用者の左目に対する第１左目２次元映像、使用者の右目に対する第１右目２次元映像に対応し、
受信された前記第３放送オブジェクト、前記第４放送オブジェクトは、それぞれ使用者の左目に対する第２左目２次元映像、使用者の右目に対する第２右目２次元映像に対応することを特徴とする請求項７又は８に記載の方法。
【請求項１０】
受信された前記第１放送オブジェクトは、使用者の左目及び使用者の右目のそれぞれに対する少なくとも第１左目２次元映像及び第１右目２次元映像に対応し、受信された前記第２放送オブジェクトは、使用者の左目及び使用者の右目のそれぞれに対する少なくとも第２左目２次元映像及び第２右目２次元映像に対応し、
受信された前記第３放送オブジェクトは、使用者の左目及び使用者の右目のそれぞれに対する少なくとも第３左目２次元映像及び第３右目２次元映像に対応し、送信された前記第４放送オブジェクトは、使用者の左目及び使用者の右目のそれぞれに対する少なくとも第４左目２次元映像及び第４右目２次元映像に対応し、
前記表示順序命令を、前記第１及び第２左目２次元映像と前記第１及び第２右目２次元映像との双方が受信された後であって、第３及び第４左目２次元映像と第３及び第４右目２次元映像とが受信されるまで、前記受信ターミナルが前記第１左目及び第１右目２次元映像と前記第２左目及び第２右目２次元映像とを所定の時間間隔で交互に繰り返し表示するように指示して、前記表示順序を指示するように構成し、
前記所定の時間間隔は、前記第１左目２次元映像、第２左目２次元映像、第１右目２次元映像及び第２右目２次元映像の受信時間間隔よりも短いことを特徴とする請求項７に記載の方法。
【請求項１１】
受信された放送オブジェクトは、複数の２次元映像と３次元映像とに対応し、
前記表示制御情報に含まれる命令は、対応する３次元映像の一部が前記受信ターミナルによって受信されない場合、前記受信ターミナルが対応する３次元映像を２次元映像として表示するように指示するものであることを特徴とする請求項７〜１０のいずれか１つに記載の方法。
【請求項１２】
前記表示制御情報は、
前記放送オブジェクトが２次元映像又は３次元映像のいずれを含むかを示す情報と、
前記放送オブジェクトが前記２次元映像のグループ又は前記３次元映像のグループのいずれに対応するかを示す情報と、
前記放送オブジェクトの数を示す情報と、
各々の前記放送オブジェクトのシリアルナンバーを示す情報と、
連続表示される前記放送オブジェクト間の時間間隔を示す情報と、の少なくとも１つを含むことを特徴とする請求項７〜１１のいずれか１つに記載の方法。
【請求項１３】
放送信号の送信装置であって、
受信ターミナルに表示させる複数の放送オブジェクトに対する表示制御情報を発生するように構成された発生ユニットと、
前記表示制御情報と前記複数の放送オブジェクトとを放送信号のフォーマットに形成するように構成された変換ユニットと、
前記複数の放送オブジェクトと前記表示制御情報とを受信ターミナルに送信するように構成された送信ユニットと、
を含んで構成され、
前記表示制御情報は、前記受信ターミナルに表示させる前記放送オブジェクトの表示順序を指示する表示順序命令を含み、
前記表示順序命令は、第１放送オブジェクト及び第２放送オブジェクトの双方が受信された後、第３放送オブジェクト及び第４放送オブジェクトが受信されるまで、前記受信ターミナルが受信した前記第１放送オブジェクトと前記第２放送オブジェクトとを所定の時間間隔で交互に繰り返し表示するように指示して、前記表示順序を指示するものであり、
前記所定の時間間隔は、前記放送オブジェクトの送信時間間隔よりも短いことを特徴とする装置。
【請求項１４】
放送信号の受信装置であって、
前記放送信号を受信するように構成された信号受信ユニットと、
受信した放送信号から複数の放送オブジェクトと表示制御情報とを抽出するように構成された抽出ユニットと、
前記表示制御情報に従って前記放送オブジェクトを前記受信ターミナルに表示させるように構成された表示装置と、
を含んで構成され、
前記表示制御情報は、前記受信ターミナルに表示させる前記放送オブジェクトの表示順序を指示する表示順序命令を含み、
前記表示順序命令は、第１放送オブジェクト及び第２放送オブジェクトの双方が受信された後、第３放送オブジェクト及び第４放送オブジェクトが受信されるまで、前記受信ターミナルが受信した前記第１放送オブジェクトと前記第２放送オブジェクトとを所定の時間間隔で交互に繰り返し表示するように指示して、前記表示順序を指示するものであり、
前記所定の時間間隔は、前記放送オブジェクトの受信時間間隔よりも短いことを特徴とする装置。
【発明の詳細な説明】
【技術分野】
【０００１】
本出願は、２００６年４月２０日に出願された大韓民国特許出願番号第１０-２００６-００３５９４４号の優先権を主張し、その全体が参照文献として本出願に統合される。
【０００２】
本発明は放送信号及びそのデータ構造を送受信する装置及び方法に関する。
【背景技術】
【０００３】
デジタル放送システムは、アナログ放送システムで本来的に送信されているデータだけでなく、文字、映像（image）などの付加情報をも送信する。しかし、データ送信量は、デジタル放送システムの特定帯域幅によって制限される。また、放送システムは、映像又はデータを所定の時間間隔で送信し、その映像は、同一時間間隔で順次受信される。さらに、この映像は、受信された順番に従って表示される。
【０００４】
より詳しく説明する。図１は、映像が所定の時間間隔で順次に送信、受信及び表示される方法を示すタイミング図である。図１において、“ｎ”は、映像が送受信される時間間隔を示す。また、横線は時間軸に対応し、それぞれの縦線は、それぞれの映像を送受信する時点に対応する。図１に示すように、映像Ａ，Ｂ，Ｃ，Ｄ，Ｅ，Ｆは、“ｎ”時間間隔毎で連続して送信される。
【０００５】
さらに、図１の下段に示すように、映像Ａ〜Ｆは、同一順序で連続して受信されて表示される。しかし、映像が送信されてから表示されるまでに時間遅延が存在する（特に、映像Ｆの時間遅延を参照）。
【発明の開示】
【発明が解決しようとする課題】
【０００６】
このように、映像が狭帯域に送信される場合、映像は、受信機（receiver）において非常に遅く表示される。これは放送オブジェクトの表示速度が、放送オブジェクトの送信速度と同一ではないからである。また、図１に示すように、映像は、該映像の送信順序と同一順序で表示されるからである。すなわち、受信機は、映像表示手段に対していかなる制御も有していない。むしろ、映像表示手段は、送信機（transmitter）によって厳密に制御されている。
【０００７】
このため、３次元映像や他の類型のビデオコンテンツは、標準的な放送システムの制限された帯域幅によって、本来的な表示をされない場合がある。
【０００８】
従って、本発明の１つの目的は、従来技術の制限及び障害に起因する１つ以上の問題を実質的に取り除くことが可能な、放送信号及びそのデータ構造を送受信する装置及び方法を提供することにある。
【０００９】
本発明の他の目的は、受信オブジェクトが受信機によって可変的又は動的に表示される放送信号及びそのデータ構造を送受信する装置及び方法を提供することにある。
【００１０】
また、本発明の他の目的は、３次元映像を表示可能な放送信号及びそのデータ構造を送受信する装置及び方法を提供することにある。
【課題を解決するための手段】
【００１１】
このような目的及び本発明が目標とする他の長所を達成するために、本明細書に具体化されて広く開示された本発明は、放送信号を送信する方法であって、受信ターミナルに表示させる複数の放送オブジェクトに対する表示制御情報を発生すること、複数の放送オブジェクトと表示制御情報との双方を含む放送信号を前記受信ターミナルに送信すること、を含んで構成される方法の一態様を提供する。ここで、表示制御情報は、前記受信ターミナルに表示させる前記放送オブジェクトの表示順序を指示する表示順序命令を含み、前記表示順序命令は、第１放送オブジェクト及び第２放送オブジェクトの双方が受信された後、第３放送オブジェクト及び第４放送オブジェクトが受信されるまで、前記受信ターミナルの受信した前記第１放送オブジェクトと前記第２放送オブジェクトとを所定の時間間隔で交互に繰り返し表示するように指示して、前記表示順序を指示するものであり、前記所定の時間間隔は、前記放送オブジェクトの送信時間間隔よりも短い構成である。また、本発明は、この方法に対応する送信装置をも提供する。
【００１２】
本発明の他の態様では、放送信号を受信する方法であって、放送信号を受信すること、受信放送信号から複数の放送オブジェクトと表示制御情報とを抽出すること、表示制御情報に従って放送オブジェクトを受信ターミナルに表示すること、を含んで構成される方法を提供する。ここで、表示制御情報は、受信ターミナルに表示させる前記放送オブジェクトの表示順序を指示する表示順序命令を含み、前記表示順序命令は、第１放送オブジェクト及び第２放送オブジェクトの双方が受信された後、第３放送オブジェクト及び第４放送オブジェクトが受信されるまで、前記受信ターミナルが受信した前記第１放送オブジェクトと前記第２放送オブジェクトとを所定の時間間隔で交互に繰り返し表示するように指示して、前記表示順序を指示するものであり、前記所定の時間間隔は、前記放送オブジェクトの受信時間間隔よりも短い構成である。また、本発明は、この方法に対応する受信装置をも提供する。
【００１３】
また他の態様において、本発明は、映像に対する生データ（raw data）の大きさ及び送信構造を含むヘッダー情報を伝達する第１フィールドと、映像の表示構成を示す表示制御情報を伝達する第２フィールドと、生データを伝達する第３フィールドと、を含む映像を送信するデータ構造を提供する。ここで、表示制御情報は、受信ターミナルが複数の映像を表示する方法についての命令を含む。
【００１４】
さらに、本発明を適用可能な範囲は、後述する本明細書に開示された発明の詳細な説明から明確になる。しかし、本発明の好ましい実施例は、単なる例示であり、本技術分野の当業者であれば、発明の詳細な説明から、本発明の思想及び範囲内で様々な変形及び変更が明らかになることを念頭に留めおかなければならない。
【発明を実施するための最良の形態】
【００１５】
本発明の一実施例を示す添付図面は、本発明の一層の理解を提供するために含まれており、本発明の一部を構成し、及び発明の開示と共に、本発明の原理を説明するために用いられる。
【００１６】
以下、本発明の好ましい一実施例を、より詳細に説明するために、これを添付図面に示す。同一図面における符号は、全図にわたって同様に用いられ、また、類似要素を示すために使用される。
【００１７】
後述の説明では、“放送オブジェクト”の用語を使用する。これは、動画及び静止画像、文字（テキスト）、オーディオデータ、マルチメディアデータ、及びあらゆるその他のデータを含む。しかし、理解の容易のために放送オブジェクトを広く映像と呼ぶ。また、表示される映像の順序及び時間間隔は、送信映像の順序又は間隔と異なる。従って、表示される映像は、動画又は３次元映像として表示されることができる。
【００１８】
図２を参照する。図２は、本発明の一実施例に従う放送信号を送信するための方法を示すフローチャートである。図２に示すように、表示制御情報に加えて、送信される放送映像が生成される（Ｓ１０）。表示制御情報は、放送映像をどのように表示するかについての規則を定義する。例えば、表示制御情報は、映像の次元、映像の表示順序など表示される映像の表示構成を定義する。次に、図２に示すように、放送映像及び表示制御情報が、放送データ形式（フォーマット）に変換される（Ｓ２０）。そして、放送映像と表示制御情報とを含む放送データが送信される（Ｓ３０）。
【００１９】
次に、図３を参照する。図３は、本発明の一実施例に従う放送信号の受信方法を示すフローチャートである。前述したように、放送信号には、放送オブジェクト（以下、放送映像と呼ぶ）と表示制御情報とを含む。図３に示すように、放送映像と表示制御情報とを含む放送信号が、先ず受信され（Ｓ１１０）、これらが放送信号から抽出される（Ｓ１２０）。そして、放送映像が表示制御情報に従って表示される（Ｓ１３０）。前述したように、放送映像の表示順序、表示間隔及び次元情報は、表示制御情報に定義されている。
【００２０】
図４〜図８を参照する。図４〜図８は、本発明のぞれぞれ異なる実施例に従って放送映像を送受信する例を示すタイムラインである。なお、これら実施例において、映像の送信間隔は１秒と仮定してある。
【００２１】
図４に示すように、放送信号送信機は、１秒間隔で映像Ａ，Ｂ，Ｃ，Ｄ，Ｅ及びＦを送信する。また、送信された映像は、映像が送信された時から遅延させた時点（タイムポイント）で表示される。より詳細には、図４の一例に示したように、受信映像は、先ず保存され、そして送信間隔よりも短い間隔で表示される。例えば、図４において、映像が保存され、その後、０．１秒間隔で表示される。
【００２２】
また、映像Ａ，Ｂは、映像Ｂが最初に受信された時点から０．１秒間隔で繰り返し表示され、映像Ｃ，Ｄは、映像Ｄが最初に受信された時点から繰り返し表示される。これと同様の概念が映像Ｅ，Ｆにも適用される。従って、受信機の使用者は、受信映像が迅速に繰り返し表示されるので、スライドショーに似た動画として、映像を見ることができる。
【００２３】
次に、他の例を示した図５を参照する。本例では、受信した２次元映像が、３次元映像として表示される。すなわち、３次元映像は、人の左目と右目に対する２つの映像をそれぞれ構成することによって生成される映像である。そして、２つの映像が人に対して表示されると、人は、両眼視差現象（binocular disparity phenomenon）によって、映像を３次元映像として見るようになる。
【００２４】
より詳細に説明するために図５を参照すると、放送信号送信機は、２つの映像ファイルを生成する。このうち１つは人の左目（図中“Ｌ”で表記）に映り、他方は人の右目（図中“Ｒ”で表記）に映る。さらに、図５に示すように、送信された２つの映像ファイルが用いられて３次元映像を表示させるために、放送受信機は、２つの映像ファイルを順次に送信する。
【００２５】
例えば、図５では、映像Ａに対して連続映像ＡＲ及びＡＬ、映像Ｂに対して連続映像ＢＲ及びＢＬ、映像Ｃに対して連続映像ＣＲ及びＣＬ、及び映像Ｄに対して連続映像ＤＲ及びＤＬを送信する例を示している。図５において、人の左目用の映像は、人の右目用の映像に先立って送信されている。しかし、人の右目用の映像が、先に送信されてもよい。
【００２６】
また、図５に示すように、本発明は、映像ＡＲ及びＡＬの双方が受信された時に、３次元映像Ａを表示し、映像ＢＲ及びＢＬの双方が受信された時に、３次元映像Ｂを表示する。このようにすることで、表示映像を見る人は、まるで３次元映像を見るように感じられるようになる。図１５（詳細に後述する）は、２つの映像を１つの３次元映像に合成する方法をより詳しく示している。
【００２７】
次に、図６は、本発明の一実施例に従う映像を送受信する他の例を示す。図６の一例において、映像は、図５と類似の方式で送信されるが、図５とは異なって表示される。より詳しく説明すると、左目及び右目の映像Ａ及びＢの全てが受信された時に、左目及び右目の映像Ａ及びＢが、迅速に繰り返し（例えば、０．１秒の間隔）表示される。従って、使用者が、表示装置を見ると、誰もがまるで３次元映像を見るように感じられる。
【００２８】
本発明の一実施例に従う放送映像を送受信する他の例を参照する。この例において、映像はグループに分割されており、映像の第１グループは、映像の第１グループと第２グループとを受信した後に表示される。より詳しく説明すると、図７の例において、映像の第１グループは、映像Ａ，Ｂ，Ｃ及びＤを含んでおり、映像の第２グループは、映像Ｅ，Ｆ，Ｇ，Ｈ及びＩを含んでいる。さらに、１つの映像グループの各映像は、互いに関連づけられることができ、これら映像グループによって表示される各々の映像は、識別されることができる。
【００２９】
加えて、グループ内の各映像は、２次元映像又は３次元映像に対応する。例えば、映像の第１グループは２次元映像であってもよく、第２グループは３次元映像であってもよい。また、映像を、スライドショーと同様の動画として表示させることができる。従って、１つの映像グループ内の各映像が表示される場合に、最終映像までスムーズに表示させるようにするため、各映像は互いに関連づけられることが好ましい。さらに、図７に示すように、第１グループ内の少なくとも１つの映像は、第２グループの最終映像が受信された時に表示される。例えば、映像Ａ，Ｂ，Ｃ及びＤは、第２グループの最終映像Ｉが受信された後に表示される。あるいは、第１グループ内の映像は、第２グループの最終映像を受信した後に、ランダムに表示されることができる。加えて、１つのグループ内の表示映像は、例えば、第２グループで１つの映像又は複数の映像を受信した後に、ランダムに表示されることができる。
【００３０】
図８を参照して本発明に従う放送信号を送受信する方法の他の例を説明する。本例では、２次元映像と３次元映像とが共に送信される。より詳細には、図８に示すように、映像Ａの左目映像ＡＬ及び右目映像ＡＲ、映像Ｂの左目映像ＢＬ及び右目映像ＢＲ、映像Ｃ、映像Ｄ、映像Ｅの左目映像ＥＬ及び右目映像ＥＲは、順次に送信される。また、本例では、映像Ｂの左目映像ＢＬが、送信中に喪失したものと仮定する。
【００３１】
加えて、３次元映像Ａは、右目映像ＡＲが受信されるまで表示されない。あるいは、映像ＡＲを受信した後に、映像ＡＬのみを先に表示するか、又は、映像ＡＬ及びＡＲの双方を利用して３次元映像を表示することができる。また、映像ＢＬを受信しないため（すなわち、送信中に喪失）、映像ＢＲだけを用いて２次元映像Ｂが表示される。そして、２次元映像Ｃ及びＤが順次に表示される。
【００３２】
また、映像Ｃ及びＤは、それらの受信順序と同一順序で表示させることができる。あるいは、映像Ｃ及びＤは、映像Ｃを受信した時ではなく映像Ｄを受信した後に、スライドショーとして繰り返し表示させることもできる。加えて、映像Ｅは、右目映像ＥＲが受信された時に２次元映像として表示させることができ、また、右目映像ＥＲと左目映像ＥＬとの双方が受信された後に３次元映像Ｅとして表示させることができる。
【００３３】
このように、放送信号を送受信する方法の前述した一実施例では、送信映像を構造化することで、より動的に、よりリアルに表示することができる。すなわち、表示される各映像の順序は、これらが送信されてから変更されるので、より動的で現実的な映像を表示するようになる。
【００３４】
次に図９を参照する。図９は、本発明の一実施例に従う放送信号の送受信に用いられるデータ構造の概略図である。前述したように、各映像は、送信順序とは異なる順序で表示される。すなわち、放送映像は、その送信順序とは異なって表示されるように構成される。従って、本発明の一実施例では、放送映像をどのように表示するか又はどのように制御するかを示す表示制御情報が、放送映像とは別個に又は放送映像と共に送信されるデータ構造に含まれる。
【００３５】
このように、放送送信機は、瞬間的に表示される各映像の全てを含む放送信号を送信することは不要であり、放送受信機が送信映像をどのように表示するかを制御する制御情報を送信することができる。さらに、受信機は、スライドショー效果を生成するように又は３次元映像などを生成するように、送信映像とは異なる映像を表示することができる。
【００３６】
図９に示すように、データ構造は、放送映像のデータ構造と関連づけられるヘッダー情報を運ぶ第１フィールドと、放送映像の表示に関連づけられる追加情報を運ぶ第２フィールドと、及び放送映像の原データを運ぶ第３フィールドと、を含む。第１フィールドは、一般的にヘッダーフィールドと呼ばれ、第３フィールドは、一般的にデータフィールド又はボディーフィールドと呼ばれる。しかし、これらフィールドは、このような用語に限定されるものではない。第２フィールドを、以下、追加情報フィールドと呼ぶ。
【００３７】
追加情報フィールドは、オブジェクトの表示順序に関連づけられる情報を含む。さらに、表示制御情報は、これらフィールドのうち、いずれか１つに含まれることができ、好ましくは追加情報フィールドに含まれるとよい。
【００３８】
図１０は、図９に示したデータ構造の追加情報フィールドの概略図である。本例では、表示制御情報は、追加情報フィールドに含まれる。表示制御情報は、データにおける放送オブジェクトの次元情報と表示順序情報とのいずれか１つを含むことができる。
【００３９】
図１０に示すように、表示制御情報は、映像次元（例えば、２次元又は３次元）及び表示順序情報を含む映像表示フィールド（ａ）を含む。より詳細には、０である映像表示フィールドの値は、データ内の映像が２次元映像（例えば、静止画像）で表示されることを示し、１である映像表示フィールドの値は、データ内の映像が３次元映像で表示されることを示し、２の値は、データ内の映像が２次元映像グループであることを示し、３の値は、映像が３次元映像グループであることを示し、４の値は、リザーブである。
【００４０】
また、２次元映像グループの映像を、連続したスライディング２次元映像として表示させることができ、３次元映像グループの映像を、３次元動画として表示させることができる。加えて、０である映像表示フィールドの値は、データ内の映像を受信順に表示させることを指示するために用いられる。このように、本発明のシステムは、従来技術の受信機と下位互換性を持つ。
【００４１】
さらに、図１０に示すように、表示制御情報は、どれだけ多くのファイルが生データに存在するかを示し又は映像グループ内の映像の数を示すフィールド（ｂ）と、映像のシリアルナンバーを示すシリアルナンバーフィールド（ｃ）と、表示時間間隔を示す間隔フィールド（ｄ）と、データ構造の数を示すシリアルナンバーフィールド（ｅ）と、をさらに含む。さらにまた、映像グループ内の映像の数を表す情報は、映像グループに含まれた映像の全体数を意味する。例えば、グループ内の映像の数は２，３，その他である。
【００４２】
図１０の一例に示したように、映像グループ内の映像のシリアルナンバーを示す情報は、０〜９９である。また、表示された映像が３次元映像であれば、映像グループ内の映像のシリアルナンバーを示す情報は左目映像については偶数となり、右目映像については奇数となる（図１０参照）。
【００４３】
さらに、それぞれの映像グループによって表示される映像の表示間隔を指示する情報は、１つの映像グループによって表示される映像と、他の映像グループによって表示される他の映像との間の間隔を意味する。例えば、図１０では、それぞれの映像グループの表示間隔が、０．１秒であることを示している。また、この情報の０値は、映像がグループに含まれないことを意味する。
【００４４】
加えて、図１０に示すデータ構造は、あらゆる放送システム又は通信システム上で送受信可能である。さらに、放送システム又は通信システムは、様々に異なるプロトコルに従ってオブジェクトを送受信する。このような図１０に示したフィールドは、リザーブフィールドや、放送システム又は通信システムのプロトコル内におけるユーザプライベートフィールドに設定されることができる。
【００４５】
後述する放送システムで使用されるプロトコルは、マルチメディアオブジェクト送信（ＭＯＴ）プロトコルである。より詳細に、放送システムで使用されるＭＯＴプロトコルの一部を図１１Ａ及び図１１Ｂに示す。図１１Ｂは、ＭＯＴプロトコル内のデータフィールドの一部を示している。このデータフィールドは、ＥＮ３０１ ２３４バージョン２．１．１標準によってマルチメディアデジタルオーディオ放送（ＤＡＢ）システムに使用される。
【００４６】
また、図１０に示すデータ構造は、ＭＯＴプロトコル内のリザーブフィールドに定義される（図１１Ｂの“ＭＯＴプロトコルの拡張に対するリザーブ”）。また、表示制御情報は、所定領域が使用されてない場合、ＭＯＴプロトコル内の所定領域に確立されることができる。加えて、表示制御情報は、ＭＯＴプロトコルに従う可変長のリザーブフィールドに確立されることができる。可変長データフィールドは、固定長データフィールドに比べて、その長さを延長できるので好ましい。
【００４７】
さらに、図１１Ｂにおいて、図１０に示した表示制御情報は、ＭＯＴプロトコルに従うコンテンツネームフィールド（ContentName field）に含められることができる。また、図１１Ａにおいて、アラビア数字フィールド（Arabic numerals field）は、コンテンツネームフィールド（図１１Ａでハッチングした箇所）として使用される。
【００４８】
図１２は、本発明の一実施例に従う放送信号の送信装置を示すブロック図である。図１２に示すように、装置は、表示制御情報発生ユニット１１０、映像メモリ１２０、放送データ変換ユニット１３０及び送信ユニット１４０を含む。表示制御情報発生ユニット１１０は、受信機で映像をどのように表示させるかを指示する表示制御情報を生成する。例えば、表示制御情報は、表示映像の次元及び順序を含む。さらに、前述したように、表示制御情報は、図１０に示したデータ構造に含まれる。
【００４９】
加えて、映像メモリ１２０は、送信されてくる映像を保存する。また、映像は、送信機外部で生成された後にメモリ１２０に保存されることができ、また、送信機そのものが生成することもできる。さらに、放送データ変換ユニット１３０は、映像メモリ１２０内の映像と、表示制御情報発生ユニット１１０からの表示制御情報と、を放送データのフォーマットに変換する。加えて、放送データは、放送プロトコルに従ってパケット化される。
【００５０】
また、送信ユニット１４０は、放送データを有線ネットワーク又は無線ネットワークを通じて送信する。さらに、送信機は、表示制御情報を用いた送信映像の映像表示のために放送信号受信機を制御する。これに応じて、放送信号送信機は、受信機で表示される全ての映像を一斉に送信するようにしてもよい。
【００５１】
図１３は、本発明の一実施例に従う放送信号の受信装置を示すブロック図である。図１３に示すように、装置は、信号受信ユニット２１０、信号デコーダ２２０、メモリユニット２３０、映像処理ユニット２５０、制御ユニット２６０及び表示ユニット２８０を含む。また、装置は、３次元映像を表示するスイッチングパネル２８１をさらに含む。
【００５２】
加えて、映像受信ユニット２１０は、放送信号を受信して復調する。信号デコーダ２２０は、復調された信号をデコードする。すなわち、デコーダ２２０は、放送オブジェクトと表示制御情報とに分割して出力する。加えて、メモリユニット２３０は、放送オブジェクトと、放送デコーダ２２０から出力された表示制御情報と、を保存する。
【００５３】
加えて、メモリユニット２３０は、映像を保存する映像バッファ２３２、及び表示制御情報を保存する情報保存部２３５を含むことができる。映像バッファ２３２は、映像を保存する多数のバッファを含む。また、映像処理ユニット２５０は、表示制御情報に従ってメモリユニット２３０に保存された映像を処理する。制御ユニット２６０は、図１３の様々なユニットを制御する。
【００５４】
さらに、映像処理ユニット２５０と制御ユニット２６０とは、単一の物理ユニットに結合されてもよい。また、表示ユニット２８０は、映像処理ユニット２５０で処理された映像を表示する。さらに、３次元映像を表示するために、スイッチングパネルユニット２８１が用いられる。すなわち、スイッチングパネルユニット２８１は、２次元映像の表示をスイッチオフにし、３次元映像の表示をスイッチオンにする。
【００５５】
図１４は、本発明の他の実施例に従う放送信号の受信装置を示すブロック図である。図１４に示すように、装置は、信号受信ユニット３１０、信号復調器３２０、メモリユニット３３０、制御ユニット３５０及び表示ユニット３８０を含む。信号受信ユニット３１０は、放送オブジェクトと表示制御情報とを含む信号を受信する。信号復調器３２０は、信号受信ユニット３１０から受信した信号を復調する。
【００５６】
さらに、制御ユニット３５０は、放送オブジェクトとしての映像及び映像の表示制御情報を取得し、映像及び表示制御情報をメモリユニット３３０に保存する。メモリユニット３３０は、映像を保存する少なくても１つの映像バッファ３３２と、表示制御情報を保存する情報保存部３３５と、を含む。制御ユニット３５０は、映像をデコードし、表示制御情報に従って映像を表示するために、表示ユニット３８０を制御する。
【００５７】
このように、使用者が表示映像を見る場合、表示映像は、表示制御情報に基づいて、静止３次元映像、３次元動画及びスライド映像として見えるようになる。図１３に示した実施例と同様に、表示ユニット３８０は、３次元映像を表示するスイッチングパネルを含む。図１４の装置は、音響モジュール３７１、音響処理ユニット３７３、スピーカー３７５、グラフィックモジュール３７９、カメラモジュール３９２及びインタフェースユニット３６０に接続された外部メモリ３９５をさらに含む。
【００５８】
図１５は、スイッチングパネルを使用して３次元映像を表示する概念を説明するための概略図である。図１５に示す映像（使用者の右目及び左目に対する映像を含む）は、両眼視差現象によって、使用者に３次元映像を見せる。より詳細には、両眼視差現象は、使用者の左目及び右目に入射する光線焦点間の差によって発生する。すなわち、使用者の右目に見える第１映像（Ｒ）と使用者の左目に見える第２映像（Ｌ）との間に差が発生すると、使用者の脳は、左側映像及び右側映像を１つの３次元映像に構成する。
【００５９】
従って、右目に対する映像と左目に対する他の映像とを準備して、使用者に表示する。これによる合成映像を見ると、使用者は、３次元映像として映像を見るようになる。さらに、２つの映像は、内挿法（補間法）などを使用して合成されることができる。
【００６０】
図１５を参照すると、符号ｂは、スイッチングパネル内の隣接バリア（barrier）間の距離を示し、符号ｇは、スイッチングパネルと表示ユニットとの間の距離を示し、符号ｚは、使用者の目の焦点と表示ユニットとの間の距離を示す。２つの映像が画素で合成される場合、スイッチングパネルは、右目の視力が右目映像の画素に対応するように、左目の他の視力が左目映像の画素に対応するように作動する。
【００６１】
さらに、スイッチングパネルは、該スイッチングパネルへの入射視野（incident eyesight）を分割するためにオンにされる。このようにして、放送信号受信機は、３次元映像を表示する。また、スイッチングパネルをオフにし、使用者に対して両眼視差現象を発生させない場合、スイッチングパネルは、該スイッチングパネルへの入射視野を通過させる。これにより、放送信号受信機は、２次元映像を表示することができる。
【００６２】
前述した実施例は、文字、静止画像、動画、オーディオコンテンツなどを含むオブジェクトを映像の一例とした。しかし、あらゆる映像オブジェクトを、本発明に従う表示制御情報に基づいて制御することができる。
【００６３】
本発明は、本発明の思想又は本質的な特徴から逸脱することなく、多くの形態で実施することができ、また、前述した実施例は前述の記載に限定されず、特に明記しない限り、添付の特許請求の範囲は、その思想及び範囲内で広く解釈されなければならず、及び、特許請求の範囲内の全ての変形及び変更、又はその範囲内の均等物は、添付の特許請求の範囲内に包含されることが理解されなければならない。
【図面の簡単な説明】
【００６４】
【図１】放送信号を送受信する従来の方法を示すタイミング図（timing diagram）である。
【図２】本発明の一実施例に従う放送信号の送信方法を示すフローチャートである。
【図３】本発明の一実施例に従う放送信号の受信方法及び表示方法を示すフローチャートである。
【図４】第１時間間隔で送信され、第１時間間隔よりも短い第２時間間隔で表示される放送オブジェクトを示すタイミング図である。
【図５】３次元映像として送信及び表示される放送オブジェクトを示すタイミング図である。
【図６】３次元動画として送信及び表示される放送オブジェクトを示すタイミング図である。
【図７】送受信される放送オブジェクトの放送グループを示すタイミング図である。
【図８】２次元映像又は３次元映像として可変表示される放送オブジェクトを示すタイミング図である。
【図９】本発明の一実施例に従う放送信号を送受信するためのデータ構造を示す概略図である。
【図１０】図９に示したデータ構造における追加情報フィールドの概略図である。
【図１１Ａ】本発明の一実施例に従う放送システムに使用されるマルチメディアオブジェクト送信（ＭＯＴ）プロトコルの一部分を示す概略図である。
【図１１Ｂ】本発明の一実施例に従う放送システムに使用されるマルチメディアオブジェクト送信（ＭＯＴ）プロトコルの一部分を示す概略図である。
【図１２】本発明の一実施例に従う放送信号の送信装置を示すブロック図である。
【図１３】本発明の一実施例に従う放送信号の受信装置を示すブロック図である。
【図１４】本発明の一実施例に従う放送信号の他の受信装置を示すブロック図である。
【図１５】本発明の一実施例に従うスイッチングパネル（switching panel）を通じて３次元映像を表示する原理を示す概略図である。
【符号の説明】
【００６５】
２１０  信号受信ユニット
２２０  信号デコーダ
２３２  映像バッファ
２３５  情報保存部
２５０  映像処理ユニット
２６０  制御ユニット
２８１  スイッチングパネルユニット
【図１】
0005144113.tif 000002
【図２】
0005144113.tif 000003
【図３】
0005144113.tif 000004
【図４】
0005144113.tif 000005
【図５】
0005144113.tif 000006
【図６】
0005144113.tif 000007
【図７】
0005144113.tif 000008
【図８】
0005144113.tif 000009
【図９】
0005144113.tif 000010
【図１０】
0005144113.tif 000011
【図１１Ａ】
0005144113.tif 000012
【図１１Ｂ】
0005144113.tif 000013
【図１２】
0005144113.tif 000014
【図１３】
0005144113.tif 000015
【図１４】
0005144113.tif 000016
【図１５】
0005144113.tif 000017